(57)【要約】【課題】左右のサーバモジュールを共通化する。【解決手段】筐体２の内部の背面側中央に固定される電源７と、筐体２の内部の左右に挿入され互いに左右対称な形状をなす左右のサーバモジュール８Ｌ，８Ｒと、を備え、電源７の前面側には左右のサーバモジュール用の接続部１２Ｌ，１２Ｒが左右に並んで配置され、左右のサーバモジュール８Ｌ，８Ｒの幅広部１０において電源７と対向する部分には、電源７の接続部１２Ｌ，１２Ｒに接続される接続部１５Ｌ，１５Ｒが設けられているサーバであって、電源７の接続部１２Ｌ，１２Ｒと左右のサーバモジュール８Ｌ，８Ｒの接続部１５Ｌ，１５Ｒが、左右のサーバモジュール８Ｌ，８Ｒを上下を反転させて筐体２内の左右反対側に挿入したときに接続可能な形状に形成されている。【選択図】図２
2013242859.tif 000002
【特許請求の範囲】
【請求項１】
筐体と、
前記筐体の内部の背面側における左右方向中央に固定される電源と、
前記筐体の内部の左右に挿入され、前記電源の側方に配置されて左右方向の幅が小さい幅狭部と、前幅狭部及び前記電源の前方に配置されて前記幅狭部よりも左右方向の幅が大きい幅広部とを有し、互いに左右対称な形状をなす左側サーバモジュール及び右側サーバモジュールと、
を備え、
前記電源の前面側には、前記左側サーバモジュール用の電気接続部と前記右側サーバモジュール用の電気接続部が左右に並んで配置され、
前記左側サーバモジュール及び右側サーバモジュールの各幅広部の背面側であって前記電源と対向する部分には、前記電源の前記電気接続部に接続される電気接続部が設けられているサーバであって、
前記電源の前記電気接続部と前記各サーバモジュールの電気接続部が、前記左右のサーバモジュールを上下を反転させて前記筐体内の左右反対側に挿入したときに接続可能な形状に形成されていることを特徴とするサーバ。
【請求項２】
前記電気接続部はいずれも点対称の形状をなしていることを特徴とする請求項１に記載のサーバ。
【請求項３】
前記電源の前記右側サーバモジュール用の電気接続部の形状は、前記電源の前記左側サーバモジュール用の電気接続部を１８０度回転させた形状をなしていることを特徴とする請求項１に記載のサーバ。
【請求項４】
前記各サーバモジュールの幅狭部にはライザーカード接続用コネクタが設けられ、
前記ライザーカード接続用コネクタに接続されるライザーカードは、その上下両側に前記ライザーカード接続用コネクタに接続可能な接続部を備えることを特徴とする請求項１から請求項３のいずれか１項に記載のサーバ。
【請求項５】
前記ライザーカード接続用コネクタは、前記サーバモジュールの幅狭部において左右対称な位置に配置されていることを特徴とする請求項１から請求項４のいずれか１項に記載のサーバ。
【請求項６】
前記サーバモジュールはその背面側に、前記ライザーカードに固定されたバックパネルを備え、前記バックパネルの外周部と前記筐体におけるサーバモジュール格納部に、前記左右のサーバモジュールの誤挿入を防止する誤挿入防止機構が設けられていることを特徴とする請求項１から請求項５のいずれか１項に記載のサーバ。
【請求項７】
前記誤挿入防止機構は、前記バックパネルの上端または下端の左右両端に形成された切り欠き部と、前記筐体の前記サーバモジュール格納部に設けられ前記切り欠き部を通過可能な突起とから構成されていることを特徴とする請求項６に記載のサーバ。
【請求項８】
筐体の内部の背面側における左右方向中央に固定される電源を備えたサーバであり前記電源の前面側にはサーバモジュール用の電気接続部が左右に並んで配置されたサーバに用いられ、前記筐体の内部の左右に挿入される左右のサーバモジュールであって、
前記電源の側方に配置されて左右方向の幅が小さい幅狭部と、前幅狭部及び前記電源の前方に配置されて前記幅狭部よりも左右方向の幅が大きい幅広部とを有し、互いに左右対称な形状をなし、前記幅広部の背面側であって前記電源と対向する部分には、前記電源の前記電気接続部に接続される電気接続部が設けられ、前記各サーバモジュールの電気接続部が、前記左右のサーバモジュールを上下を反転させて前記筐体内の左右反対側に挿入したときに前記電源の前記電気接続部に接続可能な形状に形成されていることを特徴とするサーバモジュール。
【請求項９】
サーバに用いられるライザーカードであって、前記サーバは、
筐体と、
前記筐体の内部の背面側における左右方向中央に固定される電源と、
前記筐体の内部の左右に挿入され、前記電源の側方に配置されて左右方向の幅が小さい幅狭部と、前幅狭部及び前記電源の前方に配置されて前記幅狭部よりも左右方向の幅が大きい幅広部とを有し、互いに左右対称な形状をなす左側サーバモジュール及び右側サーバモジュールと、
を備え、前記電源の前面側には、前記左側サーバモジュール用の電気接続部と前記右側サーバモジュール用の電気接続部が左右に並んで配置され、前記左側サーバモジュール及び右側サーバモジュールの各幅広部の背面側であって前記電源と対向する部分には、前記電源の前記電気接続部に接続される電気接続部が設けられ、
前記電源の前記電気接続部と前記各サーバモジュールの電気接続部が、前記左右のサーバモジュールを上下を反転させて前記筐体内の左右反対側に挿入したときに接続可能な形状に形成され、
前記各サーバモジュールの幅狭部にライザーカード接続用コネクタが設けられて構成されており、
前記ライザーカード接続用コネクタに接続される前記ライザーカードは、その上下両側に前記ライザーカード接続用コネクタに接続可能な接続部を備えることを特徴とするライザーカード。
【請求項１０】
筐体と、
前記筐体の内部に設けられた第１のサーバモジュールと、
前記筐体の内部において、前記第１のサーバモジュールと上下を反転されるとともに、前記第１のサーバモジュールと並んで設けられた第２のサーバモジュールと、
を備えたサーバ。
【請求項１１】
前記筐体の内部において、前記第１のサーバモジュールと前記第２のサーバモジュールとの間に、前記第１のサーバモジュールおよび前記第２のサーバモジュールを実装するための接続部を有する請求項１０に記載のサーバ。
【請求項１２】
前記接続部は、前記第１のサーバモジュールを実装するための第１接続部と、前記第２のサーバモジュールを実装するための第２接続部とを含み、
前記第１のサーバモジュールは、前記第１接続部と対向する位置に第１サーバモジュール接続部を有し、
前記第２のサーバモジュールは、前記第２接続部と対向する位置に第２サーバモジュール接続部を有する請求項１１に記載のサーバ。
【請求項１３】
前記第１接続部、および、前記第２接続部と、前記第１サーバモジュール接続部、および、前記第２サーバモジュール接続部とは、前記第１のサーバモジュールが上下を反転された状態で前記第２接続部に接続可能に形成されるとともに、前記第２のサーバモジュールが上下を反転されて前記実装するための第１接続部に接続可能に形成される請求項１２に記載のサーバ。
【請求項１４】
前記筐体の内部において、前記第１のサーバモジュールと前記第２のサーバモジュールとの間に、前記第１接続部および前記第２接続部を有する電源を備え、
前記第１接続部、および、前記第２接続部と、前記第１サーバモジュール接続部、および、前記第２サーバモジュール接続部とは、電気的に接続可能とされる請求項１２又は１３に記載のサーバ。
【請求項１５】
サーバの筐体の内部に並んで配置されるサーバモジュールであって、
前記サーバは、前記筐体の内部に設けられサーバモジュールを実装するための接続部を並べて備え、
上下を反転することで、隣り合う前記接続部に接続可能なサーバモジュール接続部を備えるサーバモジュール。
【請求項１６】
サーバに用いられるライザーカードであって、
前記サーバは、
筐体と、
前記筐体の内部に設けられた第１のサーバモジュールと、
前記筐体の内部において前記第１のサーバモジュールと上下を反転されるとともに、前記第１のサーバモジュールと並んで設けられた第２のサーバモジュールと、
前記第１のサーバモジュールおよび前記第２のサーバモジュールに設けられたライザーカード用接続コネクタと、を備え、
前記ライザーカード用接続コネクタに接続可能な第１コネクタ接続部と、前記第１コネクタ接続部の接続方向反対側に配されてライザーカードが上下反転された際に前記ライザーカード用接続コネクタに接続可能な第２コネクタ接続部を備えるライザーカード。
【発明の詳細な説明】
【技術分野】
【０００１】
本発明は、サーバ、サーバモジュール、及びライザーカードに関するものである。
【背景技術】
【０００２】
筐体の中央に電源を配置し、その両側に左右一対のサーバモジュールを配置したサーバでは、サーバモジュールと電源とが干渉しないように、サーバモジュールの隅部を切り欠いて平面視Ｌ字形にしている。このようにすると、左側に配置されるサーバモジュールでは前記切り欠きを右側に、右側に配置されるサーバモジュールでは前記切り欠きを左側に設けることとなる。
【０００３】
なお、特許文献１には、コネクタの単品部品を上下左右対称な形状に形成しておき、コネクタの上下を逆にして相手側に差し込んでも接続可能にすることが開示されている。
また、特許文献２には、ブリッジ基板に接続する上流のバスに備えられるコネクタの信号ピンの配置と、ブリッジ基板に接続する下流のバスに備えられる信号ピンの配置とを、１８０度逆にすることが開示されている。
また、特許文献３には、拡張ボードにおいて互いに反対側の端部に接続部を設けることが開示されている。
これら特許文献１〜３には、前述したような左右で異形状のサーバモジュールについては開示されていない。
【先行技術文献】
【特許文献】
【０００４】
【特許文献１】特開２００８−２８２５６０号公報
【特許文献２】特開２００２−１７５２６７号公報
【特許文献３】特開２００７−３１６７２２号公報
【発明の概要】
【発明が解決しようとする課題】
【０００５】
しかしながら、前述したように、左右のサーバモジュールが異形状となっていると、左右で互換性がないため、それぞれ専用の部品となってしまい、保守に関して左右専用の部品ストックが必要となり、管理が面倒であった。また、左右のサーバモジュールの形状が異なるため、それぞれ別々に設計しなければならず、開発段階においても面倒であった。
【０００６】
本発明の目的は、左右のサーバモジュールを共通化することができるサーバ、サーバモジュール、及びライザーカードを提供するものである。
【課題を解決するための手段】
【０００７】
上記課題を解決するために、本発明は以下の手段を採用する。
本発明のサーバは、筐体と、前記筐体の内部の背面側における左右方向中央に固定される電源と、前記筐体の内部の左右に挿入され、前記電源の側方に配置されて左右方向の幅が小さい幅狭部と、前幅狭部及び前記電源の前方に配置されて前記幅狭部よりも左右方向の幅が大きい幅広部とを有し、互いに左右対称な形状をなす左側サーバモジュール及び右側サーバモジュールと、を備え、前記電源の前面側には、前記左側サーバモジュール用の電気接続部と前記右側サーバモジュール用の電気接続部が左右に並んで配置され、前記左側サーバモジュール及び右側サーバモジュールの各幅広部の背面側であって前記電源と対向する部分には、前記電源の前記電気接続部に接続される電気接続部が設けられているサーバであって、前記電源の前記電気接続部と前記各サーバモジュールの電気接続部が、前記左右のサーバモジュールを上下反転させて前記筐体内の左右反対側に挿入したときに接続可能な形状に形成されていることを特徴とする。
【０００８】
本発明のサーバモジュールは、筐体の内部の背面側における左右方向中央に固定される電源を備えたサーバであり前記電源の前面側にはサーバモジュール用の電気接続部が左右に並んで配置されたサーバに用いられ、前記筐体の内部の左右に挿入される左右のサーバモジュールであって、前記電源の側方に配置されて左右方向の幅が小さい幅狭部と、前幅狭部及び前記電源の前方に配置されて前記幅狭部よりも左右方向の幅が大きい幅広部とを有し、互いに左右対称な形状をなし、前記幅広部の背面側であって前記電源と対向する部分には、前記電源の前記電気接続部に接続される電気接続部が設けられ、前記各サーバモジュールの電気接続部が、前記左右のサーバモジュールを上下を反転させて前記筐体内の左右反対側に挿入したときに前記電源の前記電気接続部に接続可能な形状に形成されていることを特徴とする。
【０００９】
本発明のライザーカードは、サーバに用いられるライザーカードであって、前記サーバは、筐体と、前記筐体の内部の背面側における左右方向中央に固定される電源と、前記筐体の内部の左右に挿入され、前記電源の側方に配置されて左右方向の幅が小さい幅狭部と、前幅狭部及び前記電源の前方に配置されて前記幅狭部よりも左右方向の幅が大きい幅広部とを有し、互いに左右対称な形状をなす左側サーバモジュール及び右側サーバモジュールと、を備え、前記電源の前面側には、前記左側サーバモジュール用の電気接続部と前記右側サーバモジュール用の電気接続部が左右に並んで配置され、前記左側サーバモジュール及び右側サーバモジュールの各幅広部の背面側であって前記電源と対向する部分には、前記電源の前記電気接続部に接続される電気接続部が設けられ、前記電源の前記電気接続部と前記各サーバモジュールの電気接続部が、前記左右のサーバモジュールを上下を反転させて前記筐体内の左右反対側に挿入したときに接続可能な形状に形成され、前記各サーバモジュールの幅狭部にライザーカード接続用コネクタが設けられて構成されており、前記ライザーカード接続用コネクタに接続される前記ライザーカードは、その上下両側に前記ライザーカード接続用コネクタに接続可能な接続部を備えることを特徴とする。
【発明の効果】
【００１０】
本発明のサーバによれば、左右のサーバモジュールに互換性を付与することができ、左右のサーバモジュールを共通化することができる。
【図面の簡単な説明】
【００１１】
【図１】本発明の実施形態１に係るサーバ及びサーバモジュールの外観斜視図である。
【図２】図１のＡ−Ａ断面図である。
【図３】前記実施形態１における左右のサーバモジュールを模式的に示す外観斜視図である。
【図４】前記実施形態１における筐体及び電源の正面図である。
【図５】前記実施形態１における電源の正面図である。
【図６】前記実施形態１における電源の他の例を示す正面図である。
【図７】本発明の実施形態２に係るサーバ及びサーバモジュールにおける左側のサーバモジュールの平面図である。
【図８】（Ａ）は前記実施形態２における左側のサーバモジュールの幅狭部を背面側から見た背面図であり、（Ｂ）は右側のサーバモジュールの幅狭部を背面側から見た背面図である。
【図９】本発明の実施形態３に係るサーバ及びサーバモジュールにおける左側のサーバモジュールの平面図である。
【図１０】前記実施形態３における筐体の正面図である。
【図１１】（Ａ）は前記実施形態３における左側のサーバモジュールのバックパネルを背面側から見た背面図であり、（Ｂ）は右側のサーバモジュールのバックパネルを背面側から見た背面図である。
【図１２】本発明の実施形態４に係るサーバ及びサーバモジュールにおける左側のサーバモジュールの平面図である。
【図１３】（Ａ）は前記実施形態４における左側のサーバモジュールの幅狭部を背面側から見た背面図であり、（Ｂ）は右側のサーバモジュールの幅狭部を背面側から見た背面図である。
【図１４】本発明の実施形態５に係るサーバモジュール及び電源の外観斜視図である。
【図１５】図１４のＢ−Ｂ線に沿う断面図である。
【図１６】本発明の実施形態５における電源の正面図である。
【図１７】本発明のサーバの要部を示す斜視図である。
【発明を実施するための形態】
【００１２】
以下、本発明の実施形態を図１から図１３の図面を参照して説明する。
初めに、本発明に係るサーバ及びサーバモジュールの実施形態１を図１から図６を参照して説明する。
図１は実施形態１のサーバ１の外観斜視図であり、Ｆは前面、Ｂは背面を示す。サーバ１は、前面側に４つの開口３を有する直方体形状の筐体２を備えている。筐体２の内部は、上下方向の中央に設置された水平壁部４によって上下２段のサーバモジュール格納部５（図２参照）に分離されている。各サーバモジュール格納部５の前面側は左右方向の中央に設置された縦壁部６によって分離されており、これにより、各サーバモジュール格納部５の前面側に左右二つの開口３が形成されている。
【００１３】
図２は図１のＡ−Ａ断面図である。このサーバ１において、上側のサーバモジュール格納部５の内部構造と下側のサーバモジュール格納部５の内部構造は同じ構成であるので、ここでは、図２を参照して下側のサーバモジュール格納部５の内部構造について説明し、上側のサーバモジュール格納部５の内部構造については説明を省略する。
【００１４】
筐体２のサーバモジュール格納部５の背面側には、その左右方向の中央に、略直方体形状の電源７が筐体２に固定されている。筐体２のサーバモジュール格納部５には、縦壁部６によって二分された左右に、左側サーバモジュール８Ｌと右側サーバモジュール８Ｒが挿入され、それぞれ電源７に接続されている。
【００１５】
図３は左側及び右側のサーバモジュール８Ｌ，８Ｒを模式的に示した図であり、左側サーバモジュール８Ｌと右側サーバモジュール８Ｒは互いに左右対称な形状をなしており、右側サーバモジュール８Ｒは、左側サーバモジュール８Ｌを上下を反転させることによって左右を逆にされたものである。
左右のサーバモジュール８Ｌ，８Ｒはいずれも、電源７の側方に配置される幅狭部９と、幅狭部９及び電源７の前方に配置される幅広部１０とを備えている。つまり、左右のサーバモジュール８Ｌ，８Ｒは、電源７と干渉しないように平面視長方形における背面側の隅部を切り欠いたような形状をなしている。そして、その切り欠き部１１は、左側サーバモジュール８Ｌにおいては背面側の右端部に位置し、右側サーバモジュール８Ｒにおいては背面側の左端部に位置している。
【００１６】
電源７は、一台で左右のサーバモジュール８Ｌ，８Ｒに電力を供給することができるように構成されている。そのために、図２に示すように、電源７の前面には、左側サーバモジュール８Ｌ用の電気接続部としての接続部１２Ｌと右側サーバモジュール８Ｒ用の電気接続部としての接続部１２Ｒが、左右対称な位置に配置されている。図４は、左右のサーバモジュール８Ｌ，８Ｒを挿入する前の筐体２を正面側から見た図であり、この図に示すように、開口３を通して縦壁部６の両側に電源７の左右の接続部１２Ｌ，１２Ｒが見える。
【００１７】
そして、図５に示すように、接続部１２Ｌの左右方向及び上下方向の中央には、左側サーバモジュール８Ｌ用の雌コネクタ１３Ｌが設けられ、接続部１２Ｒの左右方向及び上下方向の中央には、右側サーバモジュール８Ｒ用の雌コネクタ１３Ｒが設けられている。すなわち、左側の雌コネクタ１３Ｌと右側の雌コネクタ１３Ｒは、電源７の前面において左右対称な位置に配置されている。左右の雌コネクタ１３Ｌ，１３Ｒは同一形状、同一寸法に形成されており、点対称な形状に形成されている。さらに、各雌コネクタ１３Ｌ，１３Ｒには、対応するサーバモジュール８Ｌ，８Ｒに電力及び信号を供給する接続端子１４が設けられているが、この接続端子１４も点対称な位置に配置されている。
【００１８】
一方、図２に示すように、左側サーバモジュール８Ｌの幅広部１０の背面側であって電源７の接続部１２Ｌと対向する面には電気接続部としての接続部１５Ｌが設けられており、右側サーバモジュール８Ｒの幅広部１０の背面側であって電源７の接続部１２Ｒと対向する面には電気接続部としての接続部１５Ｒが設けられている。左側サーバモジュール８Ｌの接続部１５Ｌと右側サーバモジュール８Ｒの接続部１５Ｒには、その左右方向及び上下方向の中央に電源７の雌コネクタ１２Ｌ，１２Ｒと接続可能な雄コネクタ（図示略）が設けられている。二つの前記雄コネクタは、同一形状、同一寸法に形成されており、点対称な形状に形成されている。さらに、前記雄コネクタにおける接続端子も点対称な位置に配置されている。
つまり、電源７の左右の接続部１２Ｌ，１２Ｒと左右のサーバモジュール８Ｌ，８Ｒの接続部１５Ｌ，１５Ｒは、左右のサーバモジュール８Ｌ，８Ｒを上下を反転させることにより左右を逆にして筐体２内の左右反対側の開口に挿入したときに接続可能な形状に形成されている。
【００１９】
このように構成された実施形態１のサーバ１及びサーバモジュールにおいては、左側サーバモジュール８Ｌを筐体２の左側の開口３から幅狭部９を背面側に配置して挿入すると、左側サーバモジュール８Ｌの接続部１５Ｌの雄コネクタが電源７の左側の接続部１２Ｌの雌コネクタ１３Ｌに接続される。また、この左側サーバモジュール８Ｌを上下を反転させることにより左右を逆にすると右側サーバモジュール８Ｒとすることができる。
そして、この右側サーバモジュール８Ｒを筐体２の右側の開口３から幅狭部９を背面側に配置して挿入すると、右側サーバモジュール８Ｒの接続部１５Ｒ（反転前の左側サーバモジュール８Ｌの接続部１５Ｌ）の雄コネクタが電源７の右側の接続部１２Ｒの雌コネクタ１３Ｒに接続される。
【００２０】
つまり、電源７の左右の接続部１２Ｌ，１２Ｒと左右のサーバモジュール８Ｌ，８Ｒの接続部１５Ｌ，１５Ｒは、左右のサーバモジュール８Ｌ，８Ｒを上下を反転させることにより左右を逆にして筐体２内の左右反対側の開口に挿入したときに接続可能な形状に形成されているので、左右のサーバモジュール８Ｌ，８Ｒに互換性を持たせることができ、左右のサーバモジュール８Ｌ，８Ｒを共通化することができる。これにより、保守に関して部品ストックを減少させることが可能となり、部品管理も容易になる。また、開発、設計段階の手間を低減することができ、開発コストを低減することができる。
【００２１】
なお、電源７の接続部１２Ｌ，１２Ｒにおける雌コネクタ１３Ｌ，１３Ｒの形状は、前述した点対称形状に限るものではない。
例えは、図６に示すように、左側の雌コネクタ１２Ｌを１８０度回転したときに右側の雌コネクタ１２Ｒと同一形状となるように設定してもよい。勿論、この場合には、左右のサーバモジュール８Ｌ，８Ｒの接続部１５Ｌ，１５Ｒにおける雄コネクタの形状も、雌コネクタ１２Ｌと同一形状にする。
【００２２】
また、実施形態１では、筐体２に上下二段のサーバモジュール格納部５を設け、各サーバモジュール格納部５に対して左右二つの開口３を設けているが、これに限るものではない。
例えば、筐体２にサーバモジュール格納部５を一つだけ設け、このサーバモジュール格納部５に左側サーバモジュール８Ｌと右側サーバモジュール８Ｒを挿入するようにしてもよい。その場合に、開口３を左右に設けてもよいし、あるいは、筐体２の前面側の開口を一つにして共通の開口としてもよい。
あるいは、筐体２に三段以上のサーバモジュール格納部５を設け、各サーバモジュール格納部５に左側サーバモジュール８Ｌと右側サーバモジュール８Ｒを挿入するようにしてもよい。
【００２３】
次に、本発明に係るサーバ及びサーバモジュールの実施形態２を図７、図８の図面を参照して説明する。
実施形態２のサーバ１及びサーバモジュール８Ｌ，８Ｒが実施形態１のサーバ１と相違する点は、左右のサーバモジュール８Ｌ，８Ｒがライザーカード接続用コネクタを備えていて、該ライザーカード接続用コネクタにライザーカードが接続されている点だけである。
その他の構成は、実施形態１のサーバ１及びサーバモジュール８Ｌ，８Ｒと同じであるので、図１から図６の図面を援用して同一態様部分の説明を省略し、相違点のみを図７、図８を参照して以下に説明する。
【００２４】
サーバモジュールにライザーカードが備えられていて、該ライザーカードにＩ／Ｏカードを搭載可能に構成する場合に、ただ単にサーバモジュールにライザーカードを取り付けただけでは、サーバモジュールの上下を反転させたときにＩ／Ｏカードの上下左右が逆になってしまう。このようにＩ／Ｏカードの上下左右が逆になると、Ｉ／Ｏカードが複数のポートを備えている場合や、サーバモジュールに複数の同種のＩ／Ｏカードを搭載する場合に、Ｉ／Ｏカードのポートへの接続を誤接続する虞がある。そこで、実施形態２のサーバ１では、誤接続を防止するために以下の構成を採用している。
【００２５】
図７を参照して、左側サーバモジュール８Ｌで説明すると、ライザーカード接続用コネクタ２０は、左側サーバモジュール８Ｌの幅狭部９におけるマザーボード２１上に配置されており、幅狭部９の左右方向の中央に配置されている。そして、ライザーカード２２をライザーカード接続用コネクタ２０に接続したときに、図７に示すようにライザーカード２２の長手方向が筐体２の前後方向と平行となるように、且つ、図８（Ａ）に示すようにライザーカード２２がマザーボード２１に対して直角に起立するように、ライザーカード接続用コネクタ２０は設置されている。
【００２６】
また、ライザーカード２２はその上下両側に、ライザーカード接続用コネクタ２０に接続可能な接続部２３Ａ，２３Ｂを有している。左側サーバモジュール８Ｌにおいては、ライザーカード２２の下側の接続部２３Ａがライザーカード接続用コネクタ２０に接続されている。また、ライザーカード２２は、図８（Ａ）において右側の面にＩ／Ｏカード接続用コネクタ２４を複数（この実施形態では二つ）備えており、Ｉ／Ｏカード接続用コネクタ２４にはＩ／Ｏカード２５（拡張ボード）が接続されている。Ｉ／Ｏカード２５は複数（この実施形態では二つ）のポート２６を備えている。なお、図８（Ａ）では、下側のＩ／Ｏカード接続用コネクタ２４にだけＩ／Ｏカード２５が接続されているが、上側のＩ／Ｏカード接続用コネクタ２４にもＩ／Ｏカード２５を接続可能である。
【００２７】
右側サーバモジュール８Ｒは、左側サーバモジュール８Ｌのマザーボード２１を上下反転させた形態をなしている。したがって、右側サーバモジュール８Ｒにおいても、右側サーバモジュール８Ｒの幅狭部９におけるマザーボード２１上の左右方向の中央に、ライザーカード接続用コネクタ２０が配置されている。ただし、右側サーバモジュール８Ｒにおいては、図８（Ｂ）に示すように、ライザーカード接続用コネクタ２０が下向きとなる。
このライザーカード接続用コネクタ２０にライザーカード２２を接続する際には、ライザーカード２２の上側の接続部２３Ｂをライザーカード接続用コネクタ２０に接続する。これにより、右側サーバモジュール８Ｒにおいても、左側サーバモジュール８Ｌの場合と同様に、図８（Ｂ）においてライザーカード２２の右側の面にＩ／Ｏカード接続用コネクタ２４を配置することができる。
【００２８】
このように構成された実施形態２のサーバ１及びサーバモジュール８Ｌ，８Ｒの場合にも、左右のサーバモジュール８Ｌ，８Ｒの共通化が可能になる。
すなわち、ライザーカード２２及びＩ／Ｏカード２５を取り付け前の左側サーバモジュール８Ｌを上下反転させることによって左右を逆にすると、マザーボード２１が上側に位置し、ライザーカード２２及びＩ／Ｏカード２５を取り付ける前の右側サーバモジュール８Ｒとなり、さらに図８（Ｂ）に示すように、下向きとなったライザーカード接続用コネクタ２０にライザーカード２２の上側の接続部２３Ｂを接続すれば、右側サーバモジュール８Ｒとすることができる。
【００２９】
そして、このように左側サーバモジュール８Ｌでは、上向きのライザーカード接続用コネクタ２０にライザーカード２２の下側の接続部２３Ａを接続し、右側サーバモジュール８Ｒでは、下向きのライザーカード接続用コネクタ２０にライザーカード２２の上側の接続部２３Ｂを接続することによって、ライザーカード２２が天地逆にならないようにすることができる。その結果、図８（Ａ），（Ｂ）に示すように、左右のサーバモジュール８Ｌ，８Ｒのいずれの場合も、背面側から見てライザーカード２２の右側の面にＩ／Ｏカード接続用コネクタ２４を配置することができる。
これにより、ライザーカード２２にＩ／Ｏカード２５を接続するとき、及び、Ｉ／Ｏカード２５のポート２６にケーブルを接続するときに、誤接続するのを抑制（防止）することができる。
【００３０】
この実施形態２のサーバ１及びサーバモジュール８Ｌ，８Ｒによれば、実施形態１と同様、電源７の左右の接続部１２Ｌ，１２Ｒと左右のサーバモジュール８Ｌ，８Ｒの接続部１５Ｌ，１５Ｒは、左右のサーバモジュール８Ｌ，８Ｒを上下を反転させることにより左右を逆にして筐体２内の左右反対側の開口に挿入したときに接続可能な形状に形成されているので、左右のサーバモジュール８Ｌ，８Ｒに互換性を持たせることができ、左右のサーバモジュール８Ｌ，８Ｒを共通化することができる。
【００３１】
その上、実施形態２のサーバ１及びサーバモジュール８Ｌ，８Ｒによれば、左右のサーバモジュール８Ｌ，８Ｒの幅狭部９にライザーカード接続用コネクタ２０が設けられ、ライザーカード接続用コネクタ２０に接続されるライザーカード２２は、その上下両側にライザーカード接続用コネクタ２０に接続可能な接続部２３Ａ，２３Ｂを備えているので、ライザーカード２２にＩ／Ｏカード２５を接続するとき、及び、Ｉ／Ｏカード２５のポート２６にケーブルを接続するときに、誤接続するのを抑制（防止）することができる。
【００３２】
次に、本発明に係るサーバ及びサーバモジュールの実施形態３を図９から図１１の図面を参照して説明する。
実施形態３のサーバ１及びサーバモジュール８Ｌ，８Ｒの基本的構成は実施形態２のサーバ１及びサーバモジュール８Ｌ，８Ｒと同じである。ただ一つ相違点としては、実施形態３のサーバ１及びサーバモジュール８Ｌ，８Ｒには、左側サーバモジュール８Ｌと右側サーバモジュール８Ｒにおいてライザーカード２２が適正な向きでライザーカード接続用コネクタ２０に接続されていないと、サーバモジュール８Ｌ，８Ｒを筐体２に挿入できないようにする誤挿入防止機構が設けられていることだけである。
その他の構成は、実施形態２のサーバ１及びサーバモジュール８Ｌ，８Ｒと同じであるので、図１から図６及び図８の図面を援用して同一態様部分の説明を省略し、相違点である誤挿入防止機構についてのみを図９から図１１を参照して以下に説明する。
【００３３】
図９は実施形態３における左側サーバモジュール８Ｌの平面図であり、左側サーバモジュール８Ｌの背面側にはバックパネル３０が配置されている。このバックパネル３０はライザーカード２２の背面側端部に固定されてライザーカード２２と一体とされている。したがって、ライザーカード２２を左側サーバモジュール８Ｌのライザーカード接続用コネクタ２０から取り外すと、バックパネル３０もライザーカード２２と一体となって取り外されるようになっている。図１１（Ａ），（Ｂ）に示すように、ライザーカード２２はバックパネル３０の上下方向中央且つ左右方向中央に配置されている。
このバックパネル３０の上端の左右両端部には切り欠き部３１が形成されている。また、バックパネル３０には、Ｉ／Ｏカード２５のポート露出用の孔３２が上下に並んで複数（この実施形態では二つ）設けられている。
【００３４】
実施形態２において説明したように、左側サーバモジュール８Ｌとする場合には、上向きのライザーカード接続用コネクタ２０にライザーカード２２の下側の接続部２３Ａを接続する。図１１（Ａ）はこのように接続したときのバックパネル３０を背面側から見た図である。このようにライザーカード接続用コネクタ２０とライザーカード２２を適正に接続しで左側サーバモジュール８Ｌとした場合には、バックパネル３０の切り欠き部３１がバックパネル３０の上側に配置される。
【００３５】
また、実施形態２において説明したように、右側サーバモジュール８Ｒとする場合には、ライザーカード接続用コネクタ２０が下向きとなるようにマザーボード２１を上下反転させ、この下向きのライザーカード接続用コネクタ２０に、ライザーカード２２の上側の接続部２３Ｂを接続する。図１１（Ｂ）はこのように接続したときのバックパネル３０を背面側から見た図である。このようにライザーカード接続用コネクタ２０とライザーカード２２を適正に接続しで右側サーバモジュール８Ｒとした場合にも、バックパネル３０の切り欠き部３１がバックパネル３０の上側に配置される。
【００３６】
そして、図１０に示すように、筐体２の前端面であって左側の開口３の上部左隅と、右側の開口３の上部右隅に突起１６が設けられている。突起１６は切り欠き部３１よりも小さい大きさに形成されており、突起１６は切り欠き部３１を通過することができるようになっている。これら突起１６と切り欠き部３１によって誤挿入防止機構が構成されている。
【００３７】
例えば、ライザーカード２２が正しくライザーカード接続用コネクタ２０に接続された左側サーバモジュール８Ｌを、筐体２の左側の開口３から挿入すると、筐体２の左側の開口３の上部左隅に設けられた突起１６は、左側サーバモジュール８Ｌのバックパネル３０に形成された切り欠き部３１を通過することができるので、何ら問題なく左側サーバモジュール８Ｌをサーバモジュール格納部５内に挿入することができる。
【００３８】
また、ライザーカード２２が正しくライザーカード接続用コネクタ２０に接続された右側サーバモジュール８Ｒを、筐体２の右側の開口３から挿入すると、筐体２の右側の開口３の上部右隅に設けられた突起１６は、右側サーバモジュール８Ｒのバックパネル３０に形成された切り欠き部３１を通過することができるので、何ら問題なく右側サーバモジュール８Ｒをサーバモジュール格納部５内に挿入することができる。
【００３９】
しかしながら、例えば、図１１（Ａ）に示すように上向きのライザーカード接続用コネクタ２０にライザーカード２２の下側の接続部２３Ａを接続した左側サーバモジュール８Ｌの状態のまま上下を反転させ、これを右側サーバモジュール８Ｒとして筐体２の右側の開口３から挿入しようとすると、その場合にはバックパネル３０の上部両端に切り欠き部３１が存在しないこととなるので、バックパネル３０において切り欠き部３１が設けられていない隅部と筐体２の突起１６が引っ掛かるため挿入することができない。つまり、誤挿入を防止することができる。
【００４０】
この実施形態３のサーバ１及びサーバモジュール８Ｌ，８Ｒによれば、実施形態１、２と同様、電源７の左右の接続部１２Ｌ，１２Ｒと左右のサーバモジュール８Ｌ，８Ｒの接続部１５Ｌ，１５Ｒは、左右のサーバモジュール８Ｌ，８Ｒを上下を反転させることにより左右を逆にして筐体２内の左右反対側の開口に挿入したときに接続可能な形状に形成されているので、左右のサーバモジュール８Ｌ，８Ｒに互換性を持たせることができ、左右のサーバモジュール８Ｌ，８Ｒを共通化することができる。
【００４１】
また、実施形態２と同様、左右のサーバモジュール８Ｌ，８Ｒの幅狭部９にライザーカード接続用コネクタ２０が設けられ、ライザーカード接続用コネクタ２０に接続されるライザーカード２２は、その上下両側にライザーカード接続用コネクタ２０に接続可能な接続部２３Ａ，２３Ｂを備えているので、ライザーカード２２にＩ／Ｏカード２５を接続するとき、及び、Ｉ／Ｏカード２５のポート２６にケーブルを接続するときに、誤接続するのを抑制（防止）することができる。
その上、実施形態３のサーバ１及びサーバモジュール８Ｌ，８Ｒは、誤挿入防止機構を備えているので、ライザーカード２２がライザーカード接続用コネクタ２０に不適切に接続されたサーバモジュールの筐体２への誤挿入を防止することができる。
【００４２】
なお、筐体２に設ける突起１６とバックパネル３０に設ける切り欠き部３１の形状や設置位置は前述したものに限られるものではなく、誤挿入を防止することができる限り、他の形状、他の設置位置にすることが可能である。例えば、突起１６は筐体２の前端面に設けないで、前端から所定寸法背面側に奥まった位置に設けてもよい。また、突起１６や切り欠き部３１を隅部以外の位置に配置することも可能である。
【００４３】
次に、本発明に係るサーバ及びサーバモジュールの実施形態４を図１２及び図１３の図面を参照して説明する。実施形態４のサーバ１及びサーバモジュール８Ｌ，８Ｒの基本的構成は実施形態２のサーバ１及びサーバモジュール８Ｌ，８Ｒと同じであるが、ただ一つ相違点として、実施形態４のサーバ１では、左右のサーバモジュール８Ｌ，８Ｒのそれぞれに、二つのライザーカード接続用コネクタ２０Ｌ，２０Ｒが設けられている。
その他の構成は、実施形態２のサーバ１及びサーバモジュール８Ｌ，８Ｒと同じであるので、図１から図６の図面を援用して同一態様部分の説明を省略し、相違点のみを図１２、図１３を参照して以下に説明する。
【００４４】
図１２を参照して、左側サーバモジュール８Ｌで説明すると、ライザーカード接続用コネクタ２０Ｌ，２０Ｒは、左サーバモジュール８Ｌの幅狭部９におけるマザーボード２１上に配置されており、幅狭部９の左右両端近傍に左右対称な位置に配置されている。実施形態４においても、ライザーカード２２はその上下両側に、ライザーカード接続用コネクタ２０に接続可能な接続部２３Ａ，２３Ｂを有している。
【００４５】
実施形態４においても、マザーボード２１を上下反転させることによってライザーカード接続用コネクタ２０Ｌ，２０Ｒの上下方向の向きを変え、そこにライザーカード２２を付け替えることによって、左右のサーバモジュール８Ｌ，８Ｒを構成することができる。
【００４６】
図１３（Ａ）は左側サーバモジュール８Ｌとした場合の幅狭部９を背面側から見た図であり、図１３（Ｂ）は右側サーバモジュール８Ｒとした場合の幅狭部９を背面側から見た図である。
図１３（Ａ）に示すように、左側サーバモジュール８Ｌとする場合には、マザーボード２１の左右両側に設けられた二つの上向きのライザーカード接続用コネクタ２０Ｌ，２０Ｒのうち背面側から見て左側のライザーカード接続用コネクタ２０Ｌに、ライザーカード２２の下側の接続部２３Ａを接続する。このとき、背面側から見てライザーカード２２の右側の面にＩ／Ｏカード接続用コネクタ２４が配置される。
【００４７】
図１３（Ｂ）に示すように、右側サーバモジュール８Ｒとする場合には、マザーボード２１を上下反転し、マザーボード２１の左右両側に設けられた二つの下向きのライザーカード接続用コネクタ２０Ｌ，２０Ｒのうち背面側から見て左側のライザーカード接続用コネクタ２０Ｒに、ライザーカード２２の上側の接続部２３Ｂを接続する。このとき、背面側から見てライザーカード２２の右側の面にＩ／Ｏカード接続用コネクタ２４が配置される。
【００４８】
このように左側サーバモジュール８Ｌでは、上向きのライザーカード接続用コネクタ２０Ｌにライザーカード２２の下側の接続部２３Ａを接続し、右側サーバモジュール８Ｒでは、下向きのライザーカード接続用コネクタ２０Ｒにライザーカード２２の上側の接続部２３Ｂを接続することによって、ライザーカード２２が天地逆にならないようにすることができる。その結果、図１３（Ａ），（Ｂ）に示すように、左右のサーバモジュール８Ｌ，８Ｒのいずれの場合も、背面側から見てライザーカード２２の右側の面にＩ／Ｏカード接続用コネクタ２４を配置することができる。
これにより、実施形態２と同様、ライザーカード２２にＩ／Ｏカード２５を接続するとき、及び、Ｉ／Ｏカード２５のポート２６にケーブルを接続するときに、誤接続するのを抑制（防止）することができる。
また、左右のサーバモジュール８Ｌ，８Ｒの幅狭部９の左右方向の幅寸法が小さい場合にも、幅の広いＩ／Ｏカード２５を搭載することが可能となる。
【００４９】
この実施形態４のサーバ１及びサーバモジュール８Ｌ，８Ｒによれば、実施形態１と同様、電源７の左右の接続部１２Ｌ，１２Ｒと左右のサーバモジュール８Ｌ，８Ｒの接続部１５Ｌ，１５Ｒは、左右のサーバモジュール８Ｌ，８Ｒを上下を反転させることにより左右を逆にして筐体２内の左右反対側の開口に挿入したときに接続可能な形状に形成されているので、左右のサーバモジュール８Ｌ，８Ｒに互換性を持たせることができ、左右のサーバモジュール８Ｌ，８Ｒを共通化することができる。
【００５０】
その上、実施形態４のサーバ１及びサーバモジュール８Ｌ，８Ｒは、左右のサーバモジュール８Ｌ，８Ｒの幅狭部９にライザーカード接続用コネクタ２０Ｌ，２０Ｒが左右対称な位置に配置され、ライザーカード接続用コネクタ２０に接続されるライザーカード２２は、その上下両側にライザーカード接続用コネクタ２０Ｌ，２０Ｒに接続可能な接続部２３Ａ，２３Ｂを備えているので、ライザーカード２２にＩ／Ｏカード２５を接続するとき、及び、Ｉ／Ｏカード２５のポート２６にケーブルを接続するときに、誤接続するのを抑制（防止）することができる。
【００５１】
なお、本発明は、以下のように構成することも可能である。
図２を援用して説明すると、サーバ１は、筐体２と、筐体２の内部の背面側における左右方向中央に固定される電源７と、筐体２の内部の左右に挿入され、電源７の側方に配置されて左右方向の幅が小さい幅狭部９と、幅狭部９及び電源７の前方に配置されて幅狭部９よりも左右方向の幅が大きい幅広部１０とを有し、互いに左右対称な形状をなす左側サーバモジュール８Ｌ及び右側サーバモジュール８Ｒと、を備え、電源７の前面側には、左側サーバモジュール８Ｌ用の電気接続部１２Ｌと右側サーバモジュール用の電気接続部１２Ｒが左右に並んで配置され、左側サーバモジュール８Ｌ及び右側サーバモジュール８Ｒの各幅広部１０の背面側であって電源７と対向する部分には、電源７の電気接続部１２Ｌ，１２Ｒに接続される電気接続部１５Ｌ，１５Ｒが設けられている。電源７の電気接続部１２Ｌ，１２Ｒと各サーバモジュール８Ｌ，８Ｒの電気接続部１５Ｌ，１５Ｒが、左右のサーバモジュール８Ｌ，８Ｒを上下を反転させて筐体２内の左右反対側に挿入したときに接続可能な形状に形成されている。
【００５２】
このように構成されたサーバ１によれば、電源７の電気接続部１２Ｌ，１２Ｒと各サーバモジュール８Ｌ，８Ｒの電気接続部１５Ｌ，１５Ｒが、左右のサーバモジュール８Ｌ，８Ｒを上下反転させて筐体２内の左右反対側に挿入したときに接続可能な形状に形成されているので、左右のサーバモジュール８Ｌ，８Ｒに互換性を持たせることができ、左右のサーバモジュール８Ｌ，８Ｒを共通化することができる。これにより、保守に関して部品ストックを減少させることが可能となり、部品管理も容易になる。また、開発、設計段階の手間を低減することができ、開発コストを低減することができる。
【００５３】
次に、本発明に係るサーバ及びサーバモジュールの実施形態５を図１４から図１６を参照して説明する。
実施形態５のサーバ１及びサーバモジュール８Ｌ，８Ｒが実施形態１のサーバ１およびサーバモジュール８Ｌ，８Ｒと相違する点は、筐体２内に収められるサーバモジュール８Ｌ，８Ｒの数量及び、サーバモジュール８Ｌ，８Ｒの形状が相違する点と、電気接続部１２Ｒ，１２Ｌの配置が電源７の前面側に配置されていない点とである。
その他の構成は、実施形態１のサーバ１及びサーバモジュール８Ｌ，８Ｒと同じであるため、同一態様部分の説明を省略し、相違点のみを図１４から図１６を参照して以下に説明する。
図１４は、本発明の実施形態５に係るサーバモジュール及び電源の外観斜視図である。又図１５は、図１４のＢ−Ｂ線に沿う断面図である。
第１のサーバモジュールであるサーバモジュール８Ｌは、筐体２の内部に設けられている。また、第２のサーバモジュールであるサーバモジュール８Ｒは、筐体２内部においてサーバモジュール８Ｌと上下反転されるとともに、サーバモジュール８Ｒと左右に並んで配置される。言い換えれば、サーバモジュール８Ｒは、サーバモジュール８Ｌと上下を反転されるとともに、サーバモジュール８Ｌの横に設けられている。
サーバモジュール８Ｌ，８Ｒは、例えば、内部にマザーボード２１を備えている。この実施形態におけるサーバモジュール８Ｌ，８Ｒは、前後方向で略一様な幅寸法および高さ寸法となっているが、サーバモジュール８Ｌ，８Ｒはこの形状に限定されるものではない。
【００５４】
サーバ１は、筐体２の内部に電源７を有している。電源７は、並んで配されたサーバモジュール８Ｌ，８Ｒの間に配置されている。電源７は略直方体形状であり、筐体２の背面側であってその左右方向の中央に固定される。
電源７は、第１接続部である接続部１２Ｌと、第２接続部である接続部１２Ｒとを備えている。接続部１２Ｌ，１２Ｒは、サーバモジュール８Ｌ，８Ｒの間に設けられている。接続部１２Ｌ，１２Ｒは、サーバモジュール８Ｌ，８Ｒを実装するための接続部である。接続部１２Ｌは、電源７におけるサーバモジュール８Ｌ側の面の上下方向の中央に配置されている。接続部１２Ｒは、電源７におけるサーバモジュール８Ｒ側の面の上下方向の中央に配置されている。
【００５５】
サーバモジュール８Ｌは、接続部１５Ｌを備えている。接続部１５Ｌは、サーバモジュール８Ｌの電源７側の、接続部１２Ｌと対向する位置、より具体的には、サーバモジュール８Ｌの挿入方向で対向する位置に設けられている。また、この実施形態における接続部１５Ｌは、上下方向の中央から上下方向にオフセットしている。
同様に、サーバモジュール８Ｒは、接続部１５Ｒを備えている。接続部１５Ｒは、サーバモジュール８Ｒの電源７側の、接続部１２Ｒと対向する位置、より具体的には、サーバモジュール８Ｒの挿入方向で対向する位置に設けられている。また、この実施形態における接続部１５Ｒは、接続部１５Ｌと同様に、上下方向の中央から上下方向にオフセットしている。なお、接続部１５Ｌ，１５Ｒをオフセットする場合について説明したが、オフセットさせなくても良い。接続部１５Ｌ，１５Ｒをオフセットさせる場合は、サーバモジュール８Ｌ，８Ｒの上下を容易に判別可能となる。
【００５６】
接続部１２Ｌ，１２Ｒと、接続部１５Ｌ，１５Ｒとは、電気的に接続される。サーバモジュール８Ｌ，８Ｒは、接続部１２Ｌ，１２Ｒと接続部１５Ｌ，１５Ｒとの接続により電源７に固定され、ひいては筐体２に固定される。さらに、接続部１２Ｌ，１２Ｒと接続部１５Ｌ，１５Ｒとの接続により、サーバモジュール８Ｌ，８Ｒは、電源７から電力の供給を受ける。
【００５７】
図１６は、実施形態５における電源７の正面図である。
接続部１２Ｌ，１２Ｒと接続部１５Ｌ，１５Ｒとは、各サーバモジュール８Ｌ，８Ｒが上下を反転されて筐体２内の反対側に挿入されたときに接続可能な形状に形成されている。図５と同様、接続部１２Ｌ，１２Ｒは、電源７の側面に左右対称な位置となるように設けられている。
また、左側の雌コネクタ１３Ｌと右側の雌コネクタ１３Ｒとは、電源７を前面から見て左右対称な位置に配置されている。左右の雌コネクタ１３Ｌ，１３Ｒは同一形状、同一寸法に形成されており、正面から見て点対称な形状とされている。
さらに、各雌コネクタ１３Ｌ，１３Ｒは、対応するサーバモジュール８Ｌ，８Ｒに電力及び信号を供給する接続端子１４を備えている。詳しくは、３つの接続端子１４が直列に配列されている。これら接続端子１４も点対称となる位置に配置されている。
【００５８】
図１４に示すように、サーバモジュール８Ｌの接続部１５Ｌとサーバモジュール８Ｒの接続部１５Ｒとは、その左右方向及び上下方向の中央に電源７の雌コネクタ１２Ｌ，１２Ｒと接続可能な雄コネクタ（図示略）を備えている。接続部１５Ｌおよび接続部１５Ｒの二つの雄コネクタは、同一形状、同一寸法に形成されており、点対称な形状に形成されている。さらに、接続部１５Ｌおよび接続部１５Ｒの二つの雄コネクタにおける接続端子も、上記雌コネクタ１２Ｌ，１２Ｒの接続端子１４と同様に、点対称となる位置に配置されている。
【００５９】
実施形態５においても、実施形態３及び実施形態４と同様に、誤挿入防止機構を設ける構成としてもよい。
このように構成されたサーバ１によれば、サーバモジュール８Ｒはサーバモジュール８Ｌと上下を反転されるとともに、サーバモジュール８Ｌと並んで設けられているため、サーバモジュールに互換性を付与することができる。左右のサーバモジュールを共通化することができる。
【００６０】
上述した各実施形態においては、本発明を実施するうえでの最良の形態を一例に説明したが、本発明のサーバは、図１７の分解斜視図に示す最小構成を備えていれば、上述した作用効果を奏し得る。
つまり、本発明のサーバは、筐体２と、筐体２の内部に設けられたサーバモジュール８Ｌと、筐体２の内部において、サーバモジュール８Ｌと上下を反転されるとともに、サーバモジュール８Ｌと並んで設けられたサーバモジュール８Ｒと、を備えていればよい。図１７中では、サーバモジュール８Ｌにおける上下方向の基準となる方向を矢印で示している。そして、サーバモジュール８Ｒにおいては、サーバモジュール８Ｌに対して上下反転された状態を、矢印で示している。
【符号の説明】
【００６１】
１  サーバ
２  筐体
５  サーバモジュール格納部
７  電源
８Ｌ  左側サーバモジュール（第１のサーバモジュール）
８Ｒ  右側サーバモジュール（第２のサーバモジュール）
９  幅狭部
１０  幅広部
１２Ｌ，１２Ｒ  接続部（電気接続部）
１５Ｌ，１５Ｒ  接続部（電気接続部，サーバモジュール接続部）
１６  突起（誤挿入防止機構）
２０  ライザーカード接続用コネクタ
２１  マザーボード
２２  ライザーカード
２３Ａ，２３Ｂ  接続部（第１コネクタ接続部、第２コネクタ接続部）
３１  切り欠き部（誤挿入防止機構）
【図１】
2013242859.tif 000003
【図２】
2013242859.tif 000004
【図３】
2013242859.tif 000005
【図４】
2013242859.tif 000006
【図５】
2013242859.tif 000007
【図６】
2013242859.tif 000008
【図７】
2013242859.tif 000009
【図８】
2013242859.tif 000010
【図９】
2013242859.tif 000011
【図１０】
2013242859.tif 000012
【図１１】
2013242859.tif 000013
【図１２】
2013242859.tif 000014
【図１３】
2013242859.tif 000015
【図１４】
2013242859.tif 000016
【図１５】
2013242859.tif 000017
【図１６】
2013242859.tif 000018
【図１７】
2013242859.tif 000019